(57)【要約】      （修正有）【課題】シワ除去のためのコグのない糸を皮膚に挿入するためのリフティング用手術器具を提供する。【解決手段】長手方向に沿って貫通された通孔が内部に形成された管形状からなり、一側の先端部が皮膚内に挿入され得る探針部１１１と、探針部の他側の後端部から延長され、探針部の通孔の直径よりも大きい直径を有し、通孔の内部と連通されており、針１３０が挿入され得るシース孔を有する本体からなるシースを含み、探針部の内面には、探針部の内面から通孔に突出した方向案内部が設けられて、針が探針部の通孔を通過するときに、方向案内部によって針の角度が折れて走行分岐点が設けられている。【選択図】図６
2018057845.tif 000002
【特許請求の範囲】
【請求項１】
長手方向に沿って貫通された通孔が内部に形成された管形状からなり、一側の先端部が皮膚内に挿入され得る探針部；と、
前記探針部の他側の後端部から延長され、前記探針部の前記通孔の直径よりも大きい直径を有し、前記通孔の内部と連通されており、針が挿入され得るシース孔を有する本体；からなるシースを含み、
前記探針部の内面には、
前記探針部の内面から前記通孔に突出した方向案内部；が設けられて、前記針が前記探針部の前記通孔を通過するときに、前記方向案内部によって前記針の角度が折れて走行されることを特徴とする、分岐点が設けられたリフティング用手術器具。
【請求項２】
前記探針部の外周面に挟まれて探針部の外径を増大させ、前記探針部の長手方向に沿ってスライド移動可能であり、前記探針部の所定位置で固定されることにより、前記探針部を皮膚に挿入時に所望の皮膚内の位置上に前記探針部が置かれることができるように皮膚進入孔にかかるインジケーターをさらに含むことを特徴とする、請求項１に記載の分岐点が設けられたリフティング用手術器具。
【請求項３】
前記方向案内部は、
前記探針部の先端部に設けられることを特徴とする、請求項１に記載の分岐点が設けられたリフティング用手術器具。
【請求項４】
前記方向案内部は、
前記探針部の内面から上昇曲線をなし、前記探針部の一側端に延長されることを特徴とする、請求項１に記載の分岐点が設けられたリフティング用手術器具。
【請求項５】
前記方向案内部は、
半円形または半楕円形の形状からなることを特徴とする、請求項１に記載の分岐点が設けられたリフティング用手術器具。
【請求項６】
前記インジケーターは、
外側面と内側面を貫通する挿入孔を有するインジケーター本体と、前記挿入孔に挿入されて前記インジケーターが、前記探針部の所定位置に固定され得るようにする位置固定部材からなっており、
前記インジケーター本体には、前記挿入孔の内面にねじ溝が形成され、前記位置固定部材は、ボルトからなって前記挿入孔にねじ結合を介して挿入され、
前記挿入孔に挿入されたボルトの端部が前記探針部の外周面と接触することにより、前記インジケーターが前記探針部の所定位置に固定されることを特徴とする、請求項２に記載の分岐点が設けられたリフティング用手術器具。
【請求項７】
前記インジケーターは、
本体部と前記本体部に挟まれるカバー部からなっており、
前記本体部は、円筒形のベース部と、前記ベース部から延長され、ねじ山が設けられているねじ部からなっており、前記カバー部の内部には、ねじ溝が形成されており、
前記カバー部は、前記ねじ部に挟まれてねじ結合され、前記カバー部の内部の前記ねじ溝が設けられているところの直径は、前記ねじ部の直径よりも小さく形成されていて、
前記カバー部が前記ねじ部に挟まれて結合されると、前記ねじ部が締められることを特徴とする、請求項２に記載の分岐点が設けられたリフティング用手術器具。
【請求項８】
前記本体部または前記カバー部の外面には、表示点が設けられていることを特徴とする、請求項７に記載の分岐点が設けられたリフティング用手術器具。
【発明の詳細な説明】
【技術分野】
【０００１】
本発明は、皮膚層の下の組織層を上方向に移動させて組織をリフティングさせたり、下部の皮膚層を上方向に移動させて、シワの除去のために糸を皮膚に挿入するためのリフティング用手術器具に関するものであって、より詳細には、コグのない糸を皮膚内で環状に形成してリフティング手術をするために、シースを分岐点として用いる分岐点が設けられたリフティング用手術器具に関する。
【背景技術】
【０００２】
一般的に、形成手術とは、主に人体の部分的な損傷や奇形の矯正、または美容のために行う外科的手術の総称であるが、最近においては、美容のための手術が主である実情である。そのうち、抗老化に対する関心が高まっており、特にフェイスリフトに関心度が高まっている。
【０００３】
人は、年を取るに従って、つまり、時間的な変化で老化になるに伴って皮膚及び皮膚の下の複数の層などが重力の方向どおり下に垂れ下がるようになって年を取ったように見える顔に変化する。このような、年を取ったように見える顔を若く作るための外科的手術法は、大きく２つの方法がある。皮膚に少し長い切開を加える侵襲的な方法と、糸を用いた最小侵襲的な方法に分けることができる。
【０００４】
切開を加える侵襲的な方法は、皮膚を直接長く切開して皮膚層を剥がし、直視下で（直接見ながら）垂れ下がった皮下組織に直接糸をかけてリフティングする方法である。この方法は、効果は良好であるが、手術時間が少し長く、切開過程で出血が生じ、以後、瘢痕が残り得るという短所がある。
【０００５】
これを補うために登場した方法が最小侵襲的な方法であって、コグ糸を皮膚層の下に入れてコグ糸の力に依存して垂れ下がった皮下組織をリフティングさせる方法がある。この方法は、先の切開を加える侵襲的な方法よりも手術時間が少なくかかり、瘢痕が少し残り、出血が少ないという長所がある。
【０００６】
このような最小侵襲的な方法で手術を行うための従来のリフティング手術器具に関して図１及び図２を参照して説明する。従来のリフティング用手術器具は、シース１０、糸が連結された針２０、糸３０を含む。図１を参照すると、具体的に、先端が斜面で形成され、その内部には、通孔が長手方向に貫通されるように形成されたシース１０を皮膚に挿入し、糸３０をシース１０の通孔を通過させながら糸３０をシース１０の先端部に前進させる。次に、シース１０を除去すると、糸３０は、皮下組織に留まるようになる。
【０００７】
糸３０は、コグを含んでおり、コグは方向性を持ち、皮下組織に挿入時に挿入反対方向に固定力を持つようになる。従って、皮下組織に留まっている糸３０を引っ張ると、コグが皮下組織にかかるようになり、コグによって生じる固定力で垂れ下がった組織をリフティングして、シワを除去することができる。
【０００８】
また、図２に示されたように、シース１０を用いずに、糸に連結された針２０を直接皮膚の中に通過させて皮下組織に糸３０を挿入して、同じ原理に基づいて施術することもできる。
【０００９】
しかし、このような従来技術は、以下のような問題点が生じることができる。
【００１０】
第一に、糸３０のコグは、糸３０の側面に方向性を持ち、一部切断して翼形状を作るものであって、糸３０の薄い厚さによってコグに十分な固定力が発生しない。糸３０を厚くして固定力を高めることができるが、糸３０が厚くなると、皮膚組織に挿入時に患者に異質感が生じて不便さを与えることができる。複数本の糸３０を皮膚に挿入して固定力を高めることができるが、これは、複数の挿入孔を必要とするようになって、リフティング手術後に傷跡が多く残り、美観上良くない問題点がある。また、糸３０が多くなるほど、糸３０自体による異物感及び糸３０の突出、糸３０による炎症などが生じ得るという問題点がある。
【００１１】
第二に、糸３０のコグは、術者がリフティングしたい垂れ下がった皮下組織だけでなく、他の部分にも糸３０のコグが位置することになる。従って、術者が所望しない部分までコグによって引っ張られることができる問題点がある。
【００１２】
第三に、糸３０を線状で引っ張るときに、コグが損傷されるとか、消失し得る。これにより、皮膚及び皮下組織を不均一に引っ張るようになって、本来の効果と異なる効果が生じ得る。また、手術後に発生する手術周辺部の引っ張り現象により、患者が顔面の筋肉を動かす場合、コグが損傷されるとか、損失されることができ、これにより、十分な固定力を発揮できないという問題点がある。
【００１３】
第四に、糸３０にあるコグの構造上、コグの端部が鋭いので、組織が損傷されることができ、患者に苦痛を伴う場合が生じ得る。
【先行技術文献】
【特許文献】
【００１４】
【特許文献１】韓国公開特許第１０−２０１４−００９２０９６号公報
【発明の概要】
【発明が解決しようとする課題】
【００１５】
本発明は、前述した問題点を解決するために創出されたものであって、より詳細には、組織の剥離なく、コグのない糸を皮膚下に環状に形成してリフティング手術を行うために、シースを分岐点として用いる分岐点が設けられたリフティング用手術器具を提供することをその目的とする。
【課題を解決するための手段】
【００１６】
前述した目的を達成するための本発明の分岐点が設けられたリフティング用手術器具は、長手方向に沿って貫通された通孔が内部に形成された管形状からなり、一側の先端部が皮膚内に挿入され得る探針部と、前記探針部の他側の後端部から延長され、前記探針部の前記通孔の直径よりも大きい直径を有し、前記通孔の内部と連通されており、針が挿入され得るシース孔を有する本体；からなるシースを含み、前記探針部の内面には、前記探針部の内面から前記通孔に突出した方向案内部；が設けられて、前記針が前記探針部の前記通孔を通過するときに、前記方向案内部によって前記針の角度が折れて走行されることを特徴とするものである。
【００１７】
前述した目的を達成するための本発明の分岐点が設けられたリフティング用手術器具は、前記探針部の外周面に挟まれて探針部の外径を増大させ、前記探針部の長手方向に沿ってスライド移動可能であり、前記探針部の所定位置で固定されることにより、前記探針部を皮膚に挿入時に所望の皮膚下の位置上に前記探針部が置かれることができるように皮膚進入孔にかかるインジケーターをさらに含むことが好ましい。
【００１８】
前述した目的を達成するための本発明の分岐点が設けられたリフティング用手術器具の前記方向案内部は、前記探針部の先端部に設けられることが好ましく、前記方向案内部は、前記探針部の内面から上昇曲線をなし、前記探針部の一側端に延長されることが好ましい。前述した目的を達成するための本発明の分岐点が設けられたリフティング用手術器具の前記方向案内部は、半円形または半楕円形の形状からなることが好ましい。
【００１９】
前述した目的を達成するための本発明の分岐点が設けられたリフティング用手術器具の前記インジケーターは、外側面と内側面を貫通する挿入孔を有するインジケーター本体と、前記挿入孔に挿入されて前記インジケーターが、前記探針部の所定位置に固定され得るようにする位置固定部材からなっており、前記インジケーター本体には、前記挿入孔の内面にねじ溝が形成され、前記位置固定部材は、ボルトからなって前記挿入孔にねじ結合を介して挿入され、前記挿入孔に挿入されたボルトの端部が前記探針部の外周面と接触することにより、前記インジケーターが前記探針部の所定位置に固定されることが好ましい。
【００２０】
前述した目的を達成するための本発明の分岐点が設けられたリフティング用手術器具の前記インジケーターは、本体部と、前記本体部に挟まれるカバー部からなっており、前記本体部は、円筒形のベース部と、前記ベース部から延長され、ねじ山が設けられているねじ部からなっており、前記カバー部の内部には、ねじ溝が形成されており、前記カバー部は、前記ねじ部に挟まれてねじ結合され、前記カバー部の内部の前記ねじ溝が設けられているところの直径は、前記ねじ部の直径よりも小さく形成されていて、前記カバー部が前記ねじ部に挟まれて結合されると、前記ねじ部がねじで締められることが好ましく、前記本体部または前記カバー部の外面には、表示点が設けられていることが好ましい。
【発明の効果】
【００２１】
本発明による分岐点が設けられたリフティング用手術器具は、コグのない糸を環状で垂れ下がった皮下組織に直接かけてリフティング手術を可能にすることにより、コグ糸でリフティングする原理ではないので、コグの損傷や損失による固定力減少が示されない長所がある。
【００２２】
既存のコグ糸で手術する場合、術者がリフティングしたい垂れ下がった皮下組織の以外に他の部分までコグによる影響を受けることができるが、本発明による分岐点が設けられたリフティング用手術器具は、コグのない糸を皮下組織に環状でかかるようにすることにより、術者がリフティングすべき組織のみを選択的にリフティングすることができる長所がある。また、本発明の分岐点が設けられたリフティング用手術器具は、シースの探針部に方向案内部を設けることによって、皮膚内で容易に環状を形成できるという長所がある。
【００２３】
次に、インジケーターを用いて、シワが垂れた皮膚内の所望の位置上にシースの先端部が置かれることができるようにすることができ、コグのない糸で皮下組織を上方向または所望の方向に移動させながらシワの除去及びリフティング施術を可能にさせる長所がある。
【図面の簡単な説明】
【００２４】
【図１】従来技術の一実施例によるリフティング用手術器具の結合図である。
【図２】従来技術の他の実施例による他のリフティング用手術器具の結合図である。
【図３】本発明の一実施例によるシースの斜視図である。
【図４ａ】図３の探針部（Ａ部分）を拡大した図である。
【図４ｂ】図３の探針部（Ａ部分）を拡大した図である。
【図５】本発明一実施例によるインジケーターの斜視図である。
【図６】図３のシースと図５のインジケーターの作動状態を示す結合図である。
【図７】本発明の一実施例によるスタイレットの斜視図である。
【図８ａ】本発明の一実施例による方向案内部に沿って針の移動経路を示す図である。
【図８ｂ】本発明の一実施例による方向案内部に沿って針の移動経路を示す図である。
【図９】本発明の分岐点が設けられたリフティング用手術器具を用いて、コグのない糸で手術する方法に関する図である。
【図１０】本発明の分岐点が設けられたリフティング用手術器具を用いて、コグのない糸で手術する方法に関する図である。
【図１１】本発明の分岐点が設けられたリフティング用手術器具を用いて、コグのない糸で手術する方法に関する図である。
【図１２】本発明の分岐点が設けられたリフティング用手術器具を用いて、コグのない糸で手術する方法に関する図である。
【図１３】本発明の分岐点が設けられたリフティング用手術器具を用いて、コグのない糸で手術する方法に関する図である。
【図１４ａ】本発明の他の実施例による方向案内部を示す図である。
【図１４ｂ】本発明の他の実施例による方向案内部を示す図である。
【図１５】本発明の他の実施例によるインジケーターを示す図である。
【発明を実施するための形態】
【００２５】
本発明のリフティング用手術器具１００は、コグのない糸１３１で皮膚下に環状を形成してリフティング手術をするためのものであって、インジケーター１２０を用いて、皮下組織の所望の位置上にシース１１０の先端部が置かれることができるようにし、シース１１０を分岐点として使用して、皮膚下にコグのない糸１３１を環状に形成することができる分岐点が設けられたリフティング用手術器具に関する。
【００２６】
本発明のリフティング用手術器具１００は、従来のコグがある糸を皮下組織に挿入して引っ張るリフティング手術方法と異なりに、組織内の所望の地点でコグのない糸１３１を環状に作って垂れ下がった組織をリフティングできる出願人によって新しく創案された手術方法のための手術器具である。
【００２７】
組織内の所望の地点で糸を環状に作るためには、針がシースを二度通過しなければならない。ところが、一度目の針がシースを通過した以後、皮下組織内の走行経路と二度目の針がシースを通過した以後、皮下組織内の走行経路が重なるようになり得るので、単純にシースを針が二度通過するといって所望の地点に環が形成されない。所望の地点に環状の糸を作るためには、所望の地点で針の走行が分岐されるべき可能である。正確な針の分岐点を作るために、本発明のリフティング用手術器具１００は、シース１１０の探針部１１１の内面に段差（方向案内部１５０）を作って、これを介して、針がシース１１０を通過するとき、針の走行方向の角度を折って与えることができるのである。
【００２８】
本発明は、探針部１１１と本体１１２からなったシース１１０、インジケーター１２０、方向案内部１５０を含んで構成される。以下、添付された図面を参照して、本発明の好ましい実施例を詳細に説明することにする。本発明のリフティング用手術器具１００全体は、例えば、図９に図示されており、図１０は針１３０の機能を説明するために構造の一部が除去されて図示されている。  
【００２９】
図３を参照すると、前記シース１１０は、探針部１１１と本体１１２からなっている。前記探針部１１１は、長手方向に沿って貫通された通孔１１３が内部に形成された管形状になっており、一側先端部が斜面になっている。注射針または針を用いて皮膚表面に進入孔１４２を作った後、進入孔１４２を介して前記探針部１１１の一部が皮膚の中に挿入され得る。前記探針部１１１の一側先端部の断面形状は、傾いた断面形状をなす。前記探針部１１１が皮膚の中に挿入されると、前記探針部１１１の内部を貫通している前記通孔１１３に沿って糸が通された針１３０が通過することができるようになる。
【００３０】
前記本体１１２は、前記探針部１１１の他側後端部から連結されて拡張されている。前記本体１１２には、前記探針部１１１の内部の前記通孔１１３と連通されているシース孔１１４があり、前記シース孔１１４の直径は、前記通孔１１３の直径よりも大きくなっている。前記シース孔１１４を介して前記針１３０が挿入されるようになり、前記通孔１１３よりも大きい直径を有していて前記針１３０を容易に挿入することができる。挿入された前記針１３０は、前記シース孔１１４と連通されている前記通孔１１３を通過して移動することになる。
【００３１】
前記探針部１１１の内面には、前記探針部１１１の内面から前記通孔１１３に突出した方向案内部１５０が設けられている。
【００３２】
前記方向案内部１５０は、前記針１３０が前記探針部１１１の前記通孔１１３を通過するとき、前記針１３０の角度を折って走行することができるようにするものであって、前記針１３０の移動経路を転換することができるものである。図４ａ及び図４ｂを参照すると、前記方向案内部１５０は、前記探針部１１１の先端部に設けられることができ、これを介して、前記針１３０は、前記探針部１１１の先端部で方向が折れて前記探針部１１１を通過することになる。但し、前記方向案内部１５０の位置は、これに限定されるものではなく、様々な位置に形成されることもできる。たとえば、前記方向案内部１５０は、前記探針部１１１の中間地点に設けられることができ、この場合、前記針１３０は、前記探針部１１１の中間地点から方向が転換され得る。
【００３３】
図４ｂを参照すると、前記方向案内部１５０は、前記探針部１１１の内面に上昇曲線をなし、前記探針部１１１の一側端に延長されて形成され得る。前記方向案内部１５０が上昇曲線をなすに応じて、前記針１３０は、上昇曲線に沿ってスムーズに方向が折られることができる。但し、前記方向案内部１５０の形状は、これに限定するものではなく、前記針１３０の方向を折ることができれば、様々な形状になされることができるのはもちろんである。
【００３４】
図５を参照すると、前記インジケーター１２０は、前記探針部１１１の外周面に挟まれて探針部１１１の外径を増大させるものである。前記インジケーター１２０は、前記探針部１１１の長手方向に沿ってスライド移動することができ、前記探針部１１１の所定位置で位置固定部材を締めることによって固定される。前記インジケーター１２０が固定される前記探針部１１１の所定位置は、皮下組織内において、前記探針部１１１の先端部が置かれる位置と前記探針部１１１が挿入される進入孔１４２の位置に基づいて決定され、前記探針部１１１の先端部が置かれる位置（リフティング位置１４１）は、術者が垂れ下がった組織やシワ周囲の皮下組織をリフティングしようとする地点である。前記インジケーター１２０が置かれている前記探針部１１１は、所定位置で外径が増加され、前記探針部１１１を皮膚に挿入時、前記インジケーター１２０が置かれている位置までに前記探針部１１１が挿入され、前記インジケーター１２０は、進入孔１４２にかかるようになる。
【００３５】
このような前記インジケーター１２０は、前記インジケーター本体１２１と位置固定部材からなり得る。前記インジケーター本体１２１は、円柱状からなっており、上面、下面、外側面からなっている。このような前記インジケーター本体１２１には、上面中央から下面中央を貫通する本体孔が形成されており、円柱の外側面と内側面（本体孔の内側面）を貫通する挿入孔１２３を有している。前記位置固定部材は、前記挿入孔１２３に挿入されて前記インジケーター１２０を前記探針部１１１の所定位置に固定できるようにするものである。
【００３６】
具体的に、前記インジケーター本体１２１の外側面と内側面（本体孔１２４の内側面）を貫通する前記挿入孔１２３の内面には、ねじ溝が形成されており、位置固定部材は、ボルト１２２からなっていて、ねじ結合を介して前記ボルト１２２が前記インジケーター本体１２１に挿入されるようになる。（つまり、前記インジケーター本体１２１は、ナットの役割をすることになる。）
【００３７】
図６を参照すると、前記インジケーター１２０を前記探針部１１１の長手方向に沿ってスライド移動をしている途中に所定位置で固定させるとき、位置固定部材である前記ボルト１２２を前記挿入孔１２３に入れてねじ結合をする。このとき、位置固定部材である前記ボルト１２２を十分に締めて前記ボルト１２２の端部が本体孔に挿入された前記探針部１１１の外側面と接触するようにする。前記ボルト１２２の端部が前記探針部１１１の外側面と接触するようになると、摩擦力が生じることになり、それによって、前記インジケーター１２０は、これ以上スライド移動をせずに、固定されるようになる。
【００３８】
このような前記ボルト１２２は、ねじ山が形成されているボルトねじ部１２２ｂとボルトねじ部１２２ｂの上端で外径が増大されたボルト頭部１２２ａからなっている。前記ボルト頭部１２２ａの外側面には、周方向に沿って所定の間隔で溝が形成されており、前記溝は、術者が前記ボルト１２２を締めるとき滑ることを防止する機能を有する。
【００３９】
図７を参照すると、図面番号１２４は、スタイレット１２４である。前記スタイレット１２４は、前記探針部１１１の前記通孔１１３に引き込まれ、前記探針部１１１を皮膚に挿入時、前記探針部１１１と共に皮膚に挿入され、前記通孔１１３が皮下組織で満たされることを防止することができるものである。前記スタイレット１２４は、探針部１１１の内部通孔１１３に引き込まれることができる程度に直径が探針部１１１の内径よりも少し小さく、棒状からなっている。探針部１１１は、管形状からなっているので、探針部１１１が皮膚の中に挿入される過程で通孔１１３が皮下組織の一部で満たされて、これによる組織の損傷や血管損傷を誘発することができるので、スタイレット１２４を探針部１１１の内部通孔１１３に結合して皮膚の中に挿入する。スタイレット１２４は、探針部１１１と結合して皮膚の中に共に挿入されるので、探針部１１１とスタイレット１２４に力が伝達され得るように、スタイレット１２４の後端部に取っ手を装着することが好ましい。
【００４０】
前記針１３０は、前記探針部１１１の前記通孔１１３を通過して前記リフティング位置１４１を経て皮下組織を貫きながら皮膚の外に出ることができるように、一端から他端まで直径が前記探針部１１１の前記通孔１１３の直径よりも小さくなっているのである。前記針１３０は、前記シース１１０の長さよりも長く形成されており、コグのない糸１３１が通されることができるように後端部に耳が設けられている。
【００４１】
前記針１３０が前記シース１１０の長さよりも長く形成されることによって、前記針１３０は、前記シース１１０を通過した後、皮下組織を貫きながら皮膚の外に出ることができるようになる。前記針１３０が前記シース１１０の長さよりも短ければ、前記針１３０を前記シース１１０に通過させることができず、皮下組織を貫きながら皮膚の外に前記針１３０を出られるようにすることができない。従って、前記針１３０は、前記シース１１０の長さよりも十分に長く形成されていなければならない。
【００４２】
前記コグのない糸１３１は、前記針１３０の耳に一部分が通され、前記針１３０が前記探針部１１１の前記通孔１１３を通過して前記リフティング位置１４１を経て皮下組織を貫きながら皮膚の外に出るとき、前記針１３０と共に皮膚の外に出るようになるのである。前記コグのない糸１３１は、前記コグのない糸１３１の前部及び後部が前記針１３０の耳にそれぞれ通されて前記シース１１０及び皮下組織を二度通過することになる。
【００４３】
このような分岐点が設けられたリフティング用手術器具の使用方法を図６を参照して窺って見ると、インジケーター１２０を探針部１１１に嵌めて、スライド移動して所定位置に固定させる。所定位置は、探針部１１１が挿入される深さに応じて異なるが、リフティング手術における探針部１１１の挿入深さは可変的である。手術跡がなるべくよく見えず、手術を容易にすることができるところに探針部１１１の先端部が入る進入孔１４２を作らなければならず、リフティングすべき垂れ下がった皮下組織及びシワの位置に基づいて探針部１１１の位置は、変わることができる。
【００４４】
また、人ごとに顔の外形の大きさが異なるので、探針部１１１が挿入される進入孔１４２とリフティングすべき垂れ下がった組織のリフティング位置１４１との間の距離も変わるので、探針部１１１の挿入深さが変わるようになるだろう。
【００４５】
さらに、一度目の糸を挿入した後、二度目の糸を繰り返して施術することができるが、二度目の糸を用いて手術を行うときも探針部１１１の挿入深さは変わり、変わる挿入深さをインジケーター１２０を通じて調節することができる。
【００４６】
図８ａ及び図８ｂを参照すると、前記方向案内部１５０によってコグのない糸１３１の前部を通した前記針１３０の前記探針部１１１の先端部を出た以後の皮下組織を走行する経路と、コグのない糸１３１の後部を通した前記針１３０の前記探針部１１１の先端部を出た以後の皮下組織を走行する経路を変えることができるようになる。本発明は、皮膚下にコグのない糸１３１を環状に形成してリフティング手術を行うものであって、コグのない糸１３１を環状に形成するためには、二度挿入される前記針１３０の皮下組織内の走行経路を互いに異なるように形成しなければならない。
【００４７】
二度挿入される前記針１３０の前記探針部１１１の先端部を出た以後の経路が同じになると、環状を形成できず組織をリフティングすることができなくなる。二度挿入される前記針の前記探針部１１１の先端部を出た経路が一定部分重なることになると、たとえコグのない糸１３１が環状に形成されてもコグのない糸１３１の折れる地点が前記探針部１１１の先端に位置せず他のところに位置することになり、これは術者が所望の組織をリフティングすることができなくなる。前記方向案内部１５０は、二度通過する前記針１３０の経路を異なるようにして、このような点を防止できる効果がある。（ここで、図８ａ及び図８ｂは、針１３０が折れながら経路が変わる過程を多少誇張して表現したものであり、針１３０の折れ度は、図８ａ及び図８ｂよりも小さいことができる。また、前記探針部１１１の先端部を通過した前記針１３０の経路は、前記針１３０が進行されるほど、前記針１３０の元の線状経路よりもさらに離れるようになる。）
【００４８】
本発明は、従来のコグがある糸を皮下組織にかけて引っ張るリフティング手術方法と異なり、本出願人によって新しく創案されたコグのない糸１３１を用いてリフティング手術をするためのリフティング用手術器具である。具体的に、本出願人が独創的に開発した新しい手術方法は、垂れたシワの周辺の皮下組織にコグのない糸１３１を環状にかけて垂れ下がった皮下組織を直接引っ張ることでリフティング及びシワを除去する手術方法である。また、糸の挿入方向が従来の糸を用いるリフティング手術方法と反対方向に挿入することも新しい手術方法の一つの特徴である。つまり、従来の糸を用いる手術方法などは、糸の挿入方向が上から下への方向であるが、新しい手術方法では、糸の挿入方向が下から上への方向である。
【００４９】
具体的に、図９〜図１３を参照して、本発明の手術器具を用いた新しい手術方法を窺って見ると、次の通りである。
【００５０】
図９を参照すると、垂れ下がった組織またはシワがあるリフティング位置１４１を定め、前記探針部１１１の先端部が前記リフティング位置１４１に来ることができるように、前記探針部１１１が入る進入孔１４２を定める。前記インジケーター１２０を前記探針部１１１に嵌めて、前記リフティング位置１４１と前記進入孔１４２位置との間の距離を考慮して、前記インジケーター１２０を前記探針部１１１の所定位置に固定させる。
【００５１】
図１０を参照すると、前記スタイレット１２４を装着した状態で前記インジケーター１２０が固定された前記探針部１１１を皮膚内部に挿入した後、前記インジケーター１２０が前記進入孔１４２にかかる位置まで前記探針部１１１を前進させる。このとき、前記探針部１１１の先端部が前記リフティング位置１４１に置かれるようになり、その後、装着された前記スタイレット１２４を除去する。
【００５２】
次に、図１１を参照すると、前記コグのない糸１３１の前部を前記針１３０の耳に通させ、前記針１３０を前記探針部１１１の前記通孔１１３に通過させた後、前記リフティング位置１４１を経て皮下組織を貫きながら移動させ、前記針１３０を前記出口１４３を介して皮膚の外に出るようにする。［このとき、針１３０が皮膚の外に出る位置（出口１４３）は、手術跡がよく見えない部位（主に頭皮部位）から出るようにすることが好ましい。］
【００５３】
前記針１３０が前記探針部１１１の前記通孔１１３を通過するとき、前記針１３０は、前記方向案内部１５０に沿って一定の方向に変更されて皮下組織内に入ることになる。
【００５４】
その後、図１２を参照すると、前記コグのない糸１３１から前記針１３０を分離し、前記コグのない糸１３１の後部を再び前記針１３０耳に通す。これと共に、前記シース１１０を１８０度方向に回転させ、前記針１３０を前記探針部１１１の前記通孔１１３にもう一度前進させた後、前記リフティング位置１４１を経て皮下組織を貫きながら移動させて、前記針１３０を出口１４３を介して皮膚の外に出るようにする。
【００５５】
ここで、前記シース１１０を１８０度方向に回転させることは、前記方向案内部１５０の位置を変換させて、コグのない糸１３１の前部を通させた前記針１３０の経路とコグのない糸１３１の後部を通させた前記針１３０の経路を変えるためである。（つまり、二度通過する前記針１３０の前記探針部１１１の先端部を出た以後の皮下組織の中を走行する経路を変えるためである。）
【００５６】
図８ａ及び図８ｂを参照すると、前記シース１１０が１８０度回転されたとき、前記探針部１１１の内部に設けられている前記方向案内部１５０の位置が変更され、これに前記針１３０の経路も変更される。前記シース１１０は、１８０度変更することが好ましいが、必要に応じては１８０度ではない他の角度で回転することができる。
【００５７】
前記シース１１０の変換角度は、前記インジケーター１２０の前記ボルト１２２を介して確認することができる。前記ボルト１２２は、前記インジケーター１２０から突出した形態であるので、これを介して、前記シース１１０の回転された角度が分かるようになる。
【００５８】
つまり、前記インジケーター本体１２１の前記挿入孔１２３に前記ボルト１２２を挟み込んで前記インジケーター１２０を前記探針部１１１の所定位置に固定させるとき、前記ボルト１２２と前記探針部１１１の前記方向案内部１５０との位置を並んで合わせて固定する。これを介して、前記ボルト１２２で前記方向案内部１５０の位置を把握することができ、前記針１３０の経路を調節することができるようになる。但し、前記シース１１０の回転された角度は、前記ボルト１２２の以外にも前記インジケーター１２０に設けられた表示などで確認され得ることはもちろんである。例えば、前記インジケーター１２０に設けられている前記挿入孔１２３でも確認が可能である。
【００５９】
図１３を参照すると、前記探針部１１１は、管形状からなっているので、前記探針部１１１の先端部までは空いた空間となるが、前記探針部１１１の先端部以後から前記針１３０が皮膚の外に出る位置までは皮膚組織で満たされている。従って、前記皮下組織内には、前記コグのない糸１３１の前部を前記針の耳に通させて皮下組織を通過した前記針１３０の経路に沿って形成された前記コグのない糸１３１と、前記コグのない糸１３１の後部を 前記針の耳に通させて皮下組織を通過した前記針１３０の経路に沿って形成された糸１３１がそれぞれ独立的に分離して位置しており、皮下組織内部のリフティング位置１４１で２つの糸１３１は、環状に折れて連結されている。この時、二度通過した前記針１３０の経路は、前記方向案内部１５０を介して重ならないようになるので、皮膚内で前記コグのない糸１３１を環状に容易に形成することができるようになる。
【００６０】
この後、皮膚の外に出た前記コグのない糸１３１の両端を引っ張ることによって皮下組織の中で環状の前記コグのない糸１３１は、前記リフティング位置１４１にかかるようになり、前記リフティング位置１４１の皮下組織をリフティングして、隣近のシワを除去する。
【００６１】
次に、前述した手術方法による施術が追加でさらに行われるが、このとき、手術する医師が意図するとおりに、前記探針部１１１の挿入深さを異なりにすることができる。これは、前記インジケーター１２０を用いて位置を変化させることによって可能である。
【００６２】
このような新しい手術方法において、インジケーター１２０の効果は、以下の通りである。
【００６３】
針１３０とシース１１０を用いてコグのない糸１３１を環状に挿入する新しいリフティング手術を行う場合、手術途中に皮下組織内に挿入されるシース１１０先端部の位置が変更されないことが重要である。術者がリフティングしようと所望のリフティング位置１４１がシース１１０先端部の位置と直接連関されているからである。従って、シース１１０先端部の位置が変わるようになると、リフティング位置１４１が変わるようになって、術者の所望の地点ではない他の地点がリフティング位置１４１となる。このような理由から、手術途中にシース１１０先端部の位置が変更されないことが重要である。
【００６４】
しかし、針１３０が薄くて長いシース１１０の内部を通過するとき、針１３０とシース１１０との間には、摩擦抵抗が発生することができる。このような摩擦抵抗によって、針１３０がシース１１０の内部を通過するとき、シース１１０が針１３０に沿って移動することができ、これにより、シース１１０先端部の位置が皮膚下に変更され得る。
【００６５】
また、針１３０が皮下組織を貫きながら移動する場合、針１３０に力を加えるようになる。このとき、針１３０とシース１１０との摩擦抵抗で針１３０に沿ってシース１１０が移動することができ、これにより、シース１１０先端部の位置が皮膚下に変更され得る。それだけでなく、針１３０が皮下組織を貫いて皮膚の外に出るようになった以後、皮膚の外に出た針１３０を引っ張って針を抜き取るときにも針１３０とシース１１０との間には摩擦抵抗が発生することになって、シース１１０先端部の位置が皮膚下に変更され得る。シース１１０先端部の位置が皮膚下に変更されると、術者の所望の地点ではない他の地点がリフティング位置１４１となる。
【００６６】
しかし、本発明のインジケーター１２０を用いると、シース１１０は、インジケーター１２０がある部分までのみに皮膚の中に挿入され得る。従って、針１３０とシース１１０との摩擦抵抗が発生しても、インジケーター１２０によって、シース１１０は、皮膚の中にこれ以上移動せず、シース１１０先端部の位置は、皮膚下に変わらなくなる。その結果、術者が所望のリフティング位置１４１が変更されることを防止することができる。
【００６７】
また、従来のコグがある糸３０を用いる手術方法と異なるように、針１３０とシース１１０を用いて皮膚の下にコグのない糸１３１を環状に挿入する新しい手術方法を行うためには、針１３０をシース１１０に二度通過させなければならない。つまり、針１３０がシース１１０を一度通過して、糸から針１３０を分離した後、再び糸の後部を針１３０に通させて針１３０をシース１１０に通過させなければならない。このように、針１３０をシース１１０に何度も通過させる過程で針１３０とシース１１０との摩擦抵抗が発生することができ、これにより、シース１１０先端部の位置が皮膚内で変更され得る。（これにより、リフティング位置１４１が変更され得る。）
【００６８】
しかし、本発明のインジケーター１２０を用いると、針１３０がシース１１０を二度通過する間にシース１１０先端部の位置を確認することができ、インジケーター１２０がシース１１０の外径を増大させてシース１１０先端部の位置は変更されない。
【００６９】
施術を開始する時、シース１１０は、インジケーター１２０がある部分までのみに挿入されて、皮膚下の特定の位置にシース１１０先端部が置かれることになる。
【００７０】
インジケーター１２０がなければ、長い針１３０がシース１１０を通過するとき、摩擦抵抗で皮膚の中に挿入されているシース１１０先端部の位置は変更され得る。しかし、本発明では、インジケーター１２０があるので、一度目の針１３０がシース１１０を通過するときのインジケーター１２０の位置を確認し、二度目の針１３０をシース１１０に通過させる前に、インジケーター１２０がある地点にシース１１０を位置させて二度目の針１３０をシース１１０に通過させる。そうすると、一度目の針１３０がシース１１０を通過するときのシース１１０の先端部が置かれている特定の位置と、二度目の針１３０がシース１１０を通過するときのシース１１０先端部が置かれている位置とは、同じ位置になる。これを介して、針１３０がシース１１０を二度通過しても、シース１１０先端部の位置は変更されない。
【００７１】
次に、針１３０とシース１１０を用いてコグのない糸１３１を環状に挿入する新しいリフティング手術を行うとき、リフティング位置１４１を精密に修正すべき場合が発生する。つまり、外部の顔の形状でリフティング位置１４１を定めても、実際の手術が行われながらリフティング位置１４１を精密に変更すべき場合がある。また、シース１１０の挿入深さを精密に変更して繰り返し的に手術を行うこともできる。（つまり、１つのリフティング位置１４１をリフティングすることよりも、複数のリフティング位置１４１をリフティングすることが必要な場合がある。）
【００７２】
この場合、シース１１０が皮膚の中に挿入される位置を変化させてリフティング位置１４１を変更することができる。しかし、インジケーター１２０がなければ、最初にシース１１０が皮膚の中に挿入された位置と変更すべき挿入位置とを比較することができなくなる。しかし、本発明のインジケーター１２０を用いると、最初にシース１１０が皮膚の中に挿入された位置が分かるようになり、これにより、繰り返し施術時にシース１１０の挿入位置を精密に変更することができる。例えば、インジケーター１２０を２ｍｍ〜３ｍｍ程度移ると、シース１１０の挿入位置は、２ｍｍ〜３ｍｍ程度移され、これにより、リフティング位置１４１を２ｍｍ〜３ｍｍ程度精密に調節することができる（このために、シース１１０の探針部１１１に表示されている目盛りを活用することが好ましい）。このように、インジケーター１２０を用いると、本発明の手術器具を用いた新しい手術方法をより精密に行うことができる長所がある。
【００７３】
このような新しい手術方法において、方向案内部１５０の効果は、以下の通りである。１つの環を作る本発明の手術方法において、針１３０は、探針部１１１の通孔１１３を二度通過して皮下組織を貫いて通るようになる。この過程で二度通過する針１３０が探針部１１１の先端部を出た以後、皮下組織を貫いて進行するときに同じ経路に移動するとか、一定部門重なる経路に移動するようになると、コグのない糸１３１が環状を形成することができなくなる。たとえ、環状を形成しても、糸の折れる地点が探針部１１１の先端に位置せずに他のところに位置するようになって、術者が所望の地点で組織をリフティングできなくなる。
【００７４】
しかし、方向案内部１５０を探針部１１１の内面に設けることにより、針１３０が探針部１１１を介して先端部を出るとき、針１３０の経路を変更させ得るようになり、これを介して、コグのない糸１３１を皮膚下に環状に容易に形成することができる。
【００７５】
このようなコグのない糸１３１を環状に形成して垂れ下がった皮下組織をリフティングする新しい手術方法は、以下のような効果を持つ。
【００７６】
先ず、大部分の糸を用いる従来の手術は、一字形状の１本の糸で組織をつまんでリフティングしなければならないので、糸の表面にコグを作って施術しなければならない。しかし、コグがある糸で皮膚のシワを除去する方法は、薄い糸の厚さによってコグの固定力が弱く、コグの損傷や損失によって不均一に垂れ下がった組織をリフティングすることになる。また、糸の大部分の領域がコグからなっているので、術者が所望しない部位までも影響を与えることができる。
【００７７】
しかし、本発明の手術器具を用いた手術方法は、コグを用いないので、垂れ下がった組織を不均一にリフティングさせる恐れがなく、目標とするリフティング位置１４１に糸１３１を直接かけて引っ張ることによって、十分な固定力を発揮することができ、所望の部位だけ選択的にリフティングさせることができる長所がある。
【００７８】
また、コグがある糸１３１で皮膚のシワを除去する方法は、鋭いコグによって皮膚組織が損傷され得ることもあり、それに伴う患者の苦痛が発生することができる。しかし、本発明の手術器具を用いた手術方法は、コグによる皮膚組織の損傷や、患者の苦痛が発生しない長所がある。
【００７９】
次に、本発明のインジケーター１２０を介して皮膚下の所望の位置上に探針部１１１を置くことができ、これを介して、垂れ下がったシワ周辺の皮下組織をリフティングするリフティング位置１４１が手術途中に変わることを防いて、コグのない糸１３１でリフティング手術を行うことができる長所がある。
【００８０】
以外にも既存のコグがある糸で手術する場合、術者がリフティングしたい垂れ下がった皮下組織の以外に他の部分までコグによる影響を受けることができるが、本発明による分岐点が設けられたリフティング用手術器具は、コグのない糸１３１を皮下組織に環状でかかるようにすることにより、術者がリフティングすべき組織のみを選択的にリフティングすることができる長所がある。また、本発明の分岐点が設けられたリフティング用手術器具は、シース１１０の探針部１１１に方向案内部１５０を設けることにより、皮膚内で容易に環状を形成することができる長所がある。
【００８１】
前述した本発明のリフティング用手術器具は、以下のように変形されることも可能である。
【００８２】
図１４ａ及び図１４ｂを参照すると、方向案内部２５０は、半円形からなることができる。半円形の方向案内部２５０は、半円形の前部の円弧に沿って針が移動することになり、半円形の前部の円弧によって針がスムーズに方向が転換され得る。半円形の方向案内部２５０は、半円形に限定されるのではなく、半楕円形でもなることができる。また、半円形の方向案内部２５０は、探針部の先端部に設けられることができるが、これに限定されるのではない。図１４ｂを参照すると、半円形の方向案内部２５０は、探針部の中間に設けられることもでき、この場合、針は、探針部の中間地点から方向が転換される。このように、本発明の方向案内部は、針の方向を転換することができれば、様々な形状からなることができる。
【００８３】
図１５を参照すると、インジケーター３２０は、本体部３２１と、本体部３２１に挟まれるカバー部３２２からなることができる。本体部３２１及びカバー部３２２には、シース３１０が挿入され得る孔が設けられており、本体部３２１にカバー部３２２が結合されると、インジケーター３２０がシース３１０に固定される。
【００８４】
本体部３２１は、円筒形のベース部３２３と、ベース部３２３から延長され、ねじ山３２６が設けられているねじ部３２４からなっている。ねじ部３２４は、ベース部３２３よりも小さい直径を有し、ベース部３２３から延長されるものである。ベース部３２３とねじ部３２４との間には、連結部３２５が設けられることができる。連結部３２５の直径は、ベース部３２３よりも小さく、ねじ部３２４の直径よりも大きく形成されている。
【００８５】
カバー部３２２の内部には、ねじ溝が形成されている。ねじ部３２４は、本体部３２１のカバー部３２２に挟まれるようになり、ねじ部３２４のねじ山３２６とカバー部３２２のねじ溝がねじ結合される。ここで、カバー部３２２の内部のねじ溝が設けられているところの直径は、ねじ部３２４の直径よりも小さく形成されている。カバー部３２２の内部のねじ溝の直径がねじ部３２４の直径よりも小さく形成されているので、カバー部３２２がねじ部３２４に挟まれて、完全結合されたとき、ねじ部３２４は、カバー部３２２を締めることができるようになる。
【００８６】
本体部３２１及びカバー部３２２には、シース３１０が挿入され得る孔が設けられているものであって、ベース部３２３、ねじ部３２４のいずれもシース３１０が挿入され得る孔が設けられているようになる。ここで、ねじ部３２４が締められることは、ねじ部３２４のシース３１０が挿入され得る孔がカバー部３２２の内部のねじ溝によって締められることを意味する。
【００８７】
前述したインジケーター３２０をシース３１０に固定する過程を窺って見ると、以下の通りである。カバー部３２２を本体部３２１に仮結合させ、インジケーター３２０をシース３１０に挿入する。インジケーター３２０をシース３１０に固定させようとする位置にインジケーター３２０を置いて、カバー部３２２を本体部３２１に完全結合させる。仮結合状態では、ねじ部３２４がカバー部３２２の内部のねじ溝によって締められる前であるので、インジケーター３２０がシース３１０でスライド移動可能である。しかし、完全結合状態では、カバー部３２２の内部のねじ溝がねじ部３２４を締めるので、インジケーター３２０は、シース３１０でスライド移動せずに固定される。インジケーター３２０をシース３１０で再びスライド移動させるときは、カバー部３２２を緩めて（仮結合状態に作って）インジケーター３２０を移動させることができる。
【００８８】
ねじ部３２４には、ねじ山３２６と垂直な方向に延長される溝３２７が設けられることができる。ねじ部３２４の直径は、カバー部３２２の内部でねじ溝が形成されているところの直径よりも大きいので、ねじ部３２４をカバー部３２２の内部に挟むのが多少難しいことがある。ねじ部３２４に設けられた溝３２７は、ねじ部３２４が変形され得る空間を提供する。これにねじ部３２４がカバー部３２２の内部に挟まれるとき、ねじ部３２４が溝（３２７）によって一部変形されることができ、これを介して、ねじ部３２４をカバー部３２２に容易に挟まれることができるようになる。
【００８９】
本体部３２１またはカバー部３２２の外面には、表示点３２８が設けられることができる。シース３１０の探針部３１１には、方向案内部が設けられており、手術を行う場合、シース３１０を回転させて方向案内部の位置を変化させて、針の経路を転換することができるようになる。表示点３２８は、シース３１０の回転角度が分かるために設けられたものである。
【００９０】
インジケーター３２０をシース３１０に固定させるとき、インジケーター３２０に表示された表示点３２８とシース３１０の方向案内部とを並んで位置した状態で固定させる。インジケーター３２０がシース３１０に固定されると、インジケーター３２０は、シース３１０と共に回転され、これにインジケーター３２０に設けられている表示点３２８を介してシース３１０の回転角度が分かるようになる。
【００９１】
表示点３２８は、本体部３２１またはカバー部３２２に設けられることができるものであって、肉眼で識別することができる位置にあると、インジケーター３２０の様々な地点に設けられることができる。また、表示点３２８の形状は、点の形態で形成され得るが、具体的に、点の形状に限定されるのではなく、目視で識別することができれば、様々な形状が使用され得ることはもちろんである。
【００９２】
以上で様々な実施例を挙げて本発明を説明した。このような本発明は、コグのない糸１３１を環状に形成して垂れ下がった組織をリフティングする新しい手術に適用するためのものであって、新しい手術方法及び本発明の主要要旨について簡単に説明すると、以下の通りである。
【００９３】
切開せずに垂れ下がった組織をリフティングするために、コグのない糸を一字形態の一本の糸で皮膚の中に挿入して引っ張ると、コグのない糸は皮下組織にかからないため、垂れ下がった組織をリフティングできなくてそのまま出てくるようになる。これにより、従来のリフティング手術方法は、コグがある糸３０を皮膚の中に一字形態の一本の糸を挿入して、コグを介して垂れ下がった組織をリフティングする手術方法であった。しかし、このような従来の手術方法は、コグが十分な固定力を持つことができず、所望しない部分までリフティングされるなどの問題点がある。
【００９４】
従って、コグのない糸を用いて皮下の垂れ下がった組織を糸でかけてリフティングすることが好ましい。このために、従来の手術方法は、皮膚を直接長く切開して、組織を剥離し、直視下で垂れ下がった組織に直接糸をかけてリフティングする方法であった。しかし、皮膚を直接切開する過程で出血が発生し、以後瘢痕が残ることがあるという問題点がある。
【００９５】
このような皮膚を直接長く切開して組織を剥離する従来の手術方法と異なり、本出願人は、皮膚を切開せずに環状にコグのない糸を垂れ下がった組織に直接かけてリフティングする新しい手術方法を創案した。
【００９６】
このような新しい手術方法を行うためには、本発明のシース１１０、インジケーター１２０、針１３０、スタイレット１２４、シース１１０に設けられている方向案内部１５０を用いるべきである。皮膚に進入孔１４２を作り、進入孔１４２を介してシース１１０を前進させて、シース１１０の先端部を垂れ下がった組織辺りに位置させる。その後、針１３０にコグのない糸１３１を通して針１３０を二度通過させると、垂れ下がった組織をかけてくれる環状にコグのない糸１３１が形成され、コグのない糸１３１を引っ張ることによって、垂れ下がった組織をリフティングできるようになる。
【００９７】
このような新しい手術方法において、コグのない糸１３１を環状に形成するためにシース１１０は、コグのない糸１３１が折れる分岐点の役割をする。特に、探針部１１１に設けられている方向案内部１５０は、二度通過する針１３０の探針部１１１の先端部を出た以後、皮下組織を走行する経路を変更させることによって、針１３０の経路が重なることを防止することができる。これを介して、針１３０と共に通過するコグのない糸１３１を容易に皮膚下に環状に形成することができる。また、シース１１０を固定させ、シース１１０の深さと距離を精密に調節するために、本発明のインジケーター１２０を考案した。
【００９８】
以上で様々な実施例を挙げて本発明を説明したが、これに限定されるのではない。たとえば、本発明は、顔の垂れ下がったシワを除去するために使用されることができ、胸、首、ヒップなど多くの身体部位の組織の垂れ下がったことをリフティングさせるとか、シワを除去するために本発明が使用され得ることはもちろんである。また、本発明の方向案内部が設けられたシースは、リフティング用手術器具に限定して使用されるものではなく、針の走行経路を折って針の経路を変換させて使用する様々なところに本発明が使用され得ることはもちろんである。このように、本発明の権利範囲から合理的に解釈され得るものであれば、本発明の権利範囲に属することは当然である。
【符号の説明】
【００９９】
１００          リフティング用手術器具
１１０            シース
１１１            探針部
１１２            本体
１１３            通孔
１１４            シース孔
１２０            インジケーター
１２１            インジケーター本体
１２２            ボルト
１２３            挿入孔
１２４            スタイレット
１３０            針
１３１            コグのない糸
１４０            顔形状
１４１            リフティング位置
１４２            進入孔
１５０            方向案内部
２５０            半円形の方向案内部
３２１            本体部
３２２            カバー部
３２３            ベース部
３２４            ねじ部
３２５            連結部
３２６            ねじ山
３２７            溝
３２８            表示点
【図１】
2018057845.tif 000003
【図２】
2018057845.tif 000004
【図３】
2018057845.tif 000005
【図４ａ】
2018057845.tif 000006
【図４ｂ】
2018057845.tif 000007
【図５】
2018057845.tif 000008
【図６】
2018057845.tif 000009
【図７】
2018057845.tif 000010
【図８ａ】
2018057845.tif 000011
【図８ｂ】
2018057845.tif 000012
【図９】
2018057845.tif 000013
【図１０】
2018057845.tif 000014
【図１１】
2018057845.tif 000015
【図１２】
2018057845.tif 000016
【図１３】
2018057845.tif 000017
【図１４ａ】
2018057845.tif 000018
【図１４ｂ】
2018057845.tif 000019
【図１５】
2018057845.tif 000020